【手続補正書】
【提出日】平成17年2月10日(2005.2.10)
【手続補正１】
【補正対象書類名】特許請求の範囲
【補正対象項目名】全文
【補正方法】変更
【補正の内容】
【特許請求の範囲】
【請求項１】
予め定められた同期化シーケンステンプレートに従って生成された複数のシンボルを含むパケット信号の開始で同期を捕捉する方法であって、  受信信号を相関して複数の受信相関ピークを生成するステップと、  前記予め定められた同期化シーケンステンプレートに従って各受信相関ピークの期待位置を算出するステップと、  前記各受信相関ピークの前記期待位置の相関品質を決定するステップと、  前記相関品質を評価し、前記評価が予め定められた基準を超える場合には同期を宣言するステップと、を含む方法。
【請求項２】
前記相関品質が、前記受信相関ピークの高さに加えて、前記期待位置からの各受信相関ピークの距離に従って決定される、請求項１に記載の方法。
【請求項３】
受信相関ピークの位置が前記対応する期待位置から予め定められた距離内である場合は、前記相関品質が合致に設定され、そうでなければ非合致に設定される、請求項１に記載の方法。
【請求項４】
前記予め定められた基準がしきい値を超える合致数を含み、前記しきい値が前記相関ピークの高さの関数として設定される、請求項３に記載の方法。
【請求項５】
前記相関品質を決定する前記ステップが前記各受信相関ピークの期待位置における相関の値を決定することを含み、前記評価のステップが前記相関品質値を合計することを含む、請求項１に記載の方法。
【請求項６】
捕捉に関連する情報が送信シンボル間の予め定められた時間遅延またはギャップで搬送される、請求項１に記載の方法。
【請求項７】
前記複数のシンボルの各々が零シフトコードシフトキーイング（ＣＳＫ）変調シンボルを含む、請求項１に記載の方法。
【請求項８】
前記相関ステップが前記受信信号に線形相関を実行するステップを含む、請求項１に記載の方法。
【請求項９】
送信機によって送信される前記複数のシンボルが、各シンボル後に予め定められた遅延を挿入された７個の零シフトシンボルを含むパケット同期化シーケンスの開始を含む、請求項１に記載の方法。
【請求項１０】
各受信相関ピークの位置がテーブルに格納される、請求項１に記載の方法。
【請求項１１】
前記予め定められた同期化シーケンステンプレートがテーブルに格納される、請求項１に記載の方法。
【請求項１２】
前記予め定められた距離が各受信相関ピークの左側の複数の位相単位を含む、請求項３に記載の方法。
【請求項１３】
前記しきい値が前記複数のシンボルの大多数を含む、請求項４に記載の方法。
【請求項１４】
最後の受信相関ピークの位置が正しいと想定する、請求項１に記載の方法。
【請求項１５】
前記期待位置が最後の受信相関ピークを基準にして算出される、請求項１に記載の方法。
【請求項１６】
最後の受信相関ピークの前の相関ピークが正しいと想定し、かつ前記算出ステップを繰り返して、最後の受信相関ピークの前の相関ピークを基準にして前記期待位置を算出するステップをさらに含む、請求項１に記載の方法。
【請求項１７】
前記計算ステップ、決定ステップ、および合致を探索する評価ステップを異なる同期化シーケンス遅延テンプレートで繰り返すステップをさらに含む、請求項１に記載の方法。
【請求項１８】
境界線上の合致数の場合には、合致相関ピークの和がピーク値しきい値を超える場合にのみ、同期が宣言される、請求項３に記載の方法。
【請求項１９】
各合致相関ピークの期待位置と受信相関ピークの位置との間の差の平均の関数として同期点を決定するステップをさらに含む、請求項３に記載の方法。
【請求項２０】
同期品質係数を算出するステップをさらに含み、それによって、より高い関連同期品質係数を持つ新しいパケットを受信すると、受信機が前に受信しているパケットをドロップし、前記新しいパケットを直ちに受信するようにした、請求項１に記載の方法。
【請求項２１】
前記方法が特定用途向け集積回路（ＡＳＩＣ）で実現される、請求項１に記載の方法。
【請求項２２】
前記方法がフィールドプログラマブルゲートアレイ（ＦＰＧＡ）で実現される、請求項１に記載の方法。
【請求項２３】
パケット同期化シーケンスの開始を生成する方法であって、  前記同期化シーケンスで送信される複数のシンボルＮ個を生成するステップと、  Ｎ−１個の予め定められた信号を生成するステップと、  前記同期化シーケンス内の最初のＮ−１個のシンボルの各々の後に、前記Ｎ−１個の予め定められた信号の１つを挿入するステップと、を含み、Ｎが正の整数である、方法。
【請求項２４】
前記予め定められた信号が時間遅延または送信ギャップを含む、請求項２３に記載の方法。
【請求項２５】
Ｎが７である、請求項２３に記載の方法。
【請求項２６】
前記Ｎ−１個の予め定められた信号が、比較的高い自動相関特性を持つ同期化シーケンスを生じるように選択される、請求項２３に記載の方法。
【請求項２７】
複数の同期化シーケンスを生成するステップをさらに含み、各同期化シーケンスが時間遅延を含む一意の１組Ｎ−1個の予め定められた信号に対応し、各組Ｎ−１個の時間遅延は同期化シーケンス間の相互相関が最小になるように選択される、請求項２３に記載の方法。
【請求項２８】
複数の同期化シーケンスを生成するステップをさらに含み、各同期化シーケンスが異なるパケット型に対応する、請求項２３に記載の方法。
【請求項２９】
前記各シンボルが零シフトコードシフトキーイング変調シンボルを含む、請求項２３に記載の方法。
【請求項３０】
前記方法が特定用途向け集積回路（ＡＳＩＣ）で実現される、請求項２３に記載の方法。
【請求項３１】
前記方法がフィールドプログラマブルゲートアレイ（ＦＰＧＡ）で実現される、請求項２３に記載の方法。
【請求項３２】
複数のシンボルを含み、シンボルの各対が予め定められた同期化テンプレートに従って間隔を置いて配置されて成るパケット同期化シーケンスの開始で通信ネットワークにおける同期を捕捉するための装置であって、  前記同期化シーケンスの各受信シンボルに応答して相関ピークを生成するように適応された相関器と、    前記予め定められた同期化テンプレートに従って各受信相関ピークの期待位置を算出するための手段と、    前記各受信相関ピークの前記期待位置の相関品質を決定するための手段と、    前記相関品質を評価し、かつ前記評価が予め定められた基準を超えると同期を宣言するための手段と、  を含む捕捉回路と、を備えた装置。
【請求項３３】
前記相関品質が、前記受信相関ピークの高さに加えて、前記期待位置からの前記受信相関ピークの距離に従って決定される、請求項３２に記載の装置。
【請求項３４】
受信相関ピークの位置が前記対応する期待位置から予め定められた距離内である場合は、前記相関品質が合致に設定され、そうでなければ非合致に設定される、請求項３２に記載の装置。
【請求項３５】
前記予め定められた基準がしきい値を超える合致数を含み、前記しきい値が前記相関ピークの高さの関数として設定される、請求項３４に記載の装置。
【請求項３６】
前記相関品質を決定するための前記手段が前記各受信相関ピークの期待位置における相関の値を決定するための手段を含み、前記評価のための手段が前記相関品質値を合計することを含む、請求項３２に記載の装置。
【請求項３７】
前記予め定められた同期化テンプレートが一連の時間遅延を含む、請求項３２に記載の装置。
【請求項３８】
前記相関器が受信信号に対し線形相関を実行するように適応された、請求項３２に記載の装置。
【請求項３９】
前記予め定められた距離が各受信相関ピークの左側の多数の位相単位を含む、請求項３４に記載の装置。
【請求項４０】
前記しきい値が前記複数のシンボルの大多数を含む、請求項３５に記載の装置。
【請求項４１】
最後の受信相関ピークの位置が正しいと想定する、請求項３２に記載の装置。
【請求項４２】
前記期待位置が最後の受信相関ピークを基準にして算出される、請求項３２に記載の装置。
【請求項４３】
最後の受信相関ピークの前の相関ピークが正しいと想定し、前記期待位置を最後の受信相関ピークの前の相関ピークを基準に繰返し計算するための手段をさらに含む、請求項３２に記載の装置。
【請求項４４】
複数の予め定められた同期化時間遅延テンプレートを利用して、算出および比較を繰り返して同期合致を探索するための手段をさらに含む、請求項３２に記載の装置。
【請求項４５】
境界線上の合致数の場合には、合致相関ピークの和がピーク値しきい値を超える場合にのみ、同期が宣言される、請求項３４に記載の装置。
【請求項４６】
各合致相関ピークの期待位置と受信相関ピークの位置との間の差の平均の関数として同期点を決定するための手段をさらに含む、請求項３４に記載の装置。
【請求項４７】
同期品質係数を算出するための手段をさらに含み、それによって、より高い関連同期品質係数を持つ新しいパケットを受信すると、受信機が前に受信しているパケットをドロップし、前記新しいパケットを直ちに受信するようにした、請求項３２に記載の装置。
【請求項４８】
前記装置が特定用途向け集積回路（ＡＳＩＣ）で実現される、請求項３２に記載の装置。
【請求項４９】
前記装置がフィールドプログラマブルゲートアレイ（ＦＰＧＡ）で実現される、請求項３２に記載の装置。
【請求項５０】
通信ネットワークで同期を捕捉するための方法であって、  送信された同期化シーケンスが複数のシンボルを含んでおり、各シンボルが予め定められた時間遅延によって分離されており、送信局によって送信されたパケットの最初に同期化シーケンスを受信するステップと、  前記受信した同期化シーケンスを相関して複数の相関ピークを生成するステップと、  前記送信局によってシンボル間に挿入された前記予め定められた時間遅延に対応する期待位置で予め定められた位相単位の範囲内で相関ピークの存在を探索するステップと、  対応する期待位置で前記予め定められた位相単位の範囲内で見つかった相関ピークの数がしきい値を超える場合に同期を宣言するステップと、  受信相関ピークの位置とそれらの対応する期待位置との間の距離の関数として同期時点を決定するステップと、を含む方法。
【請求項５１】
各々の前記予め定められた信号が送信の特定の時間遅延またはギャップを含む、請求項５０に記載の方法。
【請求項５２】
前記パケットのデータ復号が前記同期化時点から予め定められた固定距離後に開始される、請求項５０に記載の方法。
【請求項５３】
各合致相関ピークの期待位置と受信相関ピークの位置との間の差の平均の関数として同期点を決定するステップをさらに含む、請求項５０に記載の方法。
【請求項５４】
同期品質係数を算出するステップをさらに含み、それによって、より高い関連同期品質係数を持つ新しいパケットを受信すると、受信機が前に受信しているパケットをドロップし、前記新しいパケットを直ちに受信するようにした、請求項５０に記載の方法。
【請求項５５】
前記方法が特定用途向け集積回路（ＡＳＩＣ）で実現される、請求項５０に記載の方法。
【請求項５６】
前記方法がフィールドプログラマブルゲートアレイ（ＦＰＧＡ）で実現される、請求項５０に記載の方法。
【請求項５７】
複数のシンボルのパケット同期化シーケンスの開始を含み、予め定められた同期化シーケンスギャップテンプレートに従ってシンボルの各対の間に予め定められたギャップが挿入されて成る送信信号で、通信ネットワークにおける同期を捕捉するための特定用途向け集積回路（ＡＳＩＣ）であって、  前記通信ネットワークから受信信号を生成するように適応された受信手段と、  前記同期化シーケンス内の各受信シンボルに応答して前記受信信号から相関ピークを生成するように適応された相関手段と、  前記予め定められた同期化ギャップテンプレートに従って各受信相関ピークの期待位置を算出するための計算手段と、  前記期待位置の相関品質を生成するための決定手段と、  前記相関品質を評価し、かつ前記評価が予め定められた基準を超える場合には同期を宣言するための手段と、を備えたＡＳＩＣ。
【請求項５８】
前記相関品質が、前記受信相関ピークの高さに加えて、前記期待位置からの各受信相関ピークの距離に従って決定される、請求項５７に記載のＡＳＩＣ。
【請求項５９】
受信相関ピークの位置が前記対応する期待位置から予め定められた距離内である場合は、前記相関品質が合致に設定され、そうでなければ非合致に設定される、請求項５７に記載のＡＳＩＣ。
【請求項６０】
前記予め定められた基準がしきい値を超える合致数を含み、前記しきい値が前記相関ピークの高さの関数として設定される、請求項５９に記載のＡＳＩＣ。
【請求項６１】
前記決定手段が期待位置における相関の値を決定することを含み、前記評価のための手段が前記相関品質値を合計するための手段を含む、請求項５７に記載のＡＳＩＣ。
【請求項６２】
最後の受信相関ピークの前の相関ピークが正しいと想定し、かつ前記最後の受信相関ピークの前の相関ピークを基準にして前記期待位置を繰返し算出するための手段をさらに含む、請求項５７に記載のＡＳＩＣ。
【請求項６３】
複数の予め定められた同期化シーケンスギャップテンプレートを利用して、前記期待位置の算出を繰り返して同期合致を探索するための手段をさらに含む、請求項５７に記載のＡＳＩＣ。
【請求項６４】
境界線上の合致数の場合には、合致相関ピークの和がピーク値しきい値を超える場合にのみ、同期が宣言される、請求項５９に記載のＡＳＩＣ。
【請求項６５】
各合致相関ピークの期待位置と受信相関ピークの位置との間の差の平均の関数として同期点を決定するための手段をさらに含む、請求項５９に記載のＡＳＩＣ。
【請求項６６】
同期品質係数を算出するための手段をさらに含み、それによって、より高い関連同期品質係数を持つ新しいパケットを受信すると、受信機が前に受信しているパケットをドロップし、前記新しいパケットを直ちに受信するようにした、請求項５７に記載のＡＳＩＣ。
【請求項６７】
共用通信媒体ベースのネットワークを通して接続された他の局との間で信号を送受信するための通信局において、  前記ネットワークを通して受信した受信信号を生成し、かつ前記ネットワークに送信信号を出力するための結合回路と、  変調方式に従って送信される同期化シーケンスおよびデータを変調してそこから送信信号を生成するように適応された送信機と、  前記同期シーケンスが複数のシンボルを含んでおり、各シンボルが予め定められた同期化シーケンステンプレートに従って第１信号によって分離されており、前記変調方式に従って前記受信信号を復調してそこから受信データ信号を生成するように適応された受信機であって、前記受信機が捕捉回路を含み、前記捕捉回路が、    前記受信信号を相関してそこから複数の受信相関ピークを生成するための手段と、    前記予め定められた同期化シーケンステンプレートに従って各受信相関ピークの期待位置を算出するための手段と、    各受信相関ピークの位置を対応する期待位置と比較し、受信相関ピークの位置が前記対応する期待位置から予め定められた距離内にある場合には合致を宣言するための手段と、    合致数がしきい値を超える場合には同期を宣言するための手段と、を含む受信機と、を備えた通信局。
【請求項６８】
前記第１信号が前記予め定められた同期化シーケンステンプレートに従って一連の時間遅延を含む、請求項６７に記載の通信局。
【請求項６９】
前記変調方式がコードシフトキーイング（ＣＳＫ）変調を含む、請求項６７に記載の通信局。
【請求項７０】
最後の受信相関ピークの前の相関ピークが正しいと想定し、かつ最後の受信相関ピークの前の相関ピークを基準にして前記期待位置を繰返し算出するための手段をさらに含む、請求項６７に記載の通信局。
【請求項７１】
複数の予め定められた同期化シーケンスギャップテンプレートを利用して、前記期待値の算出を繰り返して同期合致を探索するための手段をさらに含む、請求項６７に記載の通信局。
【請求項７２】
合致数が境界線上にある場合には、各合致相関ピークの値の和がピーク値しきい値を超える場合にのみ、同期が宣言される、請求項６７に記載の通信局。
【請求項７３】
各合致相関ピークの期待位置と受信相関ピークの位置との間の差の平均の関数として同期点を決定するための手段をさらに含む、請求項６７に記載の通信局。
【請求項７４】
同期品質係数を算出するための手段をさらに含み、それによって、より高い関連同期品質係数を持つ新しいパケットを受信すると、受信機が前に受信しているパケットをドロップし、前記新しいパケットを直ちに受信するようにした、請求項６７に記載の通信局。
【請求項７５】
前記送信機および受信機が特定用途向け集積回路（ＡＳＩＣ）で実現される、請求項６７に記載の通信局。
【請求項７６】
前記送信機および受信機がフィールドプログラマブルゲートアレイ（ＦＰＧＡ）で実現される、請求項６７に記載の通信局。